【事件の表示】
　特願２００９−　４２９２７「記録媒体より再生されるデジタルデータを処理するための装置および方法」拒絶査定不服審判事件〔平成２１年　５月２８日出願公開、特開２００９−１１６３６２〕について、次のとおり審決する。
【結　論】
　本件審判の請求は、成り立たない。
【理　由】
第１．手続の経緯
　本願は、平成６年９月１９日（パリ条約による優先権主張平成５年９月１７日、大韓民国）に出願した特許出願（特願平６−２４８３７５号）の一部を平成１７年１０月１３日に新たな特許出願（特願２００５−２９９０２９号）とし、さらに、その一部を平成２１年２月２５日に新たな特許出願としたものであって、平成２１年７月２日付けの拒絶理由の通知に対し、平成２１年１０月７日付けで手続補正がなされたが、平成２１年１０月３０日付けで拒絶査定がなされ、これに対し、平成２２年３月３日に審判請求がなされるとともに、同日付けで手続補正がなされたものである。
　
第２．平成２２年３月３日付けの手続補正についての補正却下の決定
［補正却下の決定の結論］
　　平成２２年３月３日付けの手続補正を却下する。
［理由］
１．補正の内容
　上記手続補正により補正された特許請求の範囲の請求項のうち、請求項１の記載は次のとおりである。
　
「記録媒体より再生されるデジタルデータを処理するための装置であって、
　前記デジタルデータは、
　デジタルビデオデータと、
　互いに異なる内容の、それぞれ複数のチャンネルを有する第１タイプおよび第２タイプのデジタルオーディオデータと、
　前記記録媒体における前記デジタルオーディオデータのコーディングモードを示す第１情報と、前記第１タイプのデジタルオーディオデータと前記第２タイプのデジタルオーディオデータとを区別する第２情報と、を含むコーディング情報と、
　を含み、
　
前記第１タイプのデジタルオーディオデータのコーディングモードは、前記第２タイプのデジタルオーディオデータのコーディングモードと等しく、
　システムタイムクロックと、前記デジタルビデオデータを記憶する第１メモリと、前記デジタルオーディオデータを記憶する第２メモリと、前記システムタイムクロックに基づき前記デジタルオーディオデータの出力タイミングを調節するオーディオ出力部と、を含み、前記記録媒体より読み取られるデジタルデータを処理するデータ処理部と、
　当該処理されたデジタルデータから前記第２情報を入力し、当該入力した第２情報に基づき前記第１タイプ及び前記第２タイプのデジタルオーディオデータのうち何れかを選択的に出力するよう、前記データ処理部を制御する制御部と、
　を備えることを特徴とする装置。」
　
２．補正の適否
　上記請求項１は、補正前の請求項１における「第１タイプおよび第２タイプのデジタルオーディオデータのコーディングモード」について、それぞれのコーディングモードが等しいことを限定するものであるから、この補正は、補正前の請求項に記載された発明を特定するために必要な事項を限定するものである。
　したがって、本件補正は、平成１８年法律第５５号改正附則第３条第１項によりなお従前の例によるとされる同法による改正前の特許法（以下、「平成１８年改正前特許法」という）第１７条の２第４項第２号に規定された特許請求の範囲の減縮を目的とするものであるから、補正後の請求項１に係る発明（以下、「本願補正発明」という）が特許出願の際独立して特許を受けることができるものであるか否か（平成１８年改正前特許法第１７条の２第５項において準用する同法第１２６条第５項の規定に違反するか否か）について以下に検討する。
　
（１）本願補正発明
　本願補正発明は、上記「第２．１．」に記載したとおりのものである。
　
（２）刊行物の記載事項
　これに対して、原査定の拒絶の理由で引用された本願の優先権主張の日前に頒布された刊行物である特開平５−１２８３１号公報（以下、「刊行物１」という）には、図面とともに、次のア〜ウの事項が記載されている。
ア．「【請求項３】　複数の種類のオーディオ情報がその種類を表わす符号とともに多重記録されている情報記録媒体を再生する情報再生装置において、
  再生すべきオーディオ情報を指定する指定情報を記憶する記憶手段と、
　オーディオ情報の種類を表わす前記符号を読み取る読取手段と、
　前記読取手段の読み取り結果に対応して、複数のオーディオ情報の中から、前記記憶手段に記憶されている指定情報により指定されているオーディオ情報を再生する再生手段とを備えることを特徴とする情報再生装置。」
　
イ．「【発明の詳細な説明】
【０００１】
【産業上の利用分野】本発明は例えばコンパクトディスク、ビデオディスクおよびその再生装置等に用いて好適な情報記録媒体およびその再生装置に関する。
【０００２】
【従来の技術】例えばビデオディスクには映画、音楽、カラオケ等いろいろなカテゴリ（ジャンル）のソフトが用意されている。映画の場合は映画のビデオ信号とそれに付随するオーディオ信号が記録されている。音楽ソフトの場合は音楽のオーディオ信号とそれに付随するイメージ画像のビデオ信号が記録されている。カラオケソフトの場合は左右ステレオの伴奏音、模範のボーカル音、それに付随する歌詞等を含むイメージ画像等が記録されている。使用者は必要に応じてそのソフトの内容によってスイッチ等を操作し、所望の信号を選択することになる。」
　
ウ．「【００１３】
【実施例】図１は本発明の情報再生装置の一実施例の構成を示すブロック図である。ディスク１はドライブ２に装着され記録されている情報が再生されるようになされている。デコーダ３はドライブ２より出力された再生信号をデコードし、再生信号中のＴＯＣ情報をコントローラ１３に供給するとともに、各トラックからの再生データを復号器４に供給する。復号器４は入力された再生データから各トラックのヘッダに記録されているデータを読み取りコントローラ１３に供給するとともに、各トラックに記録されているデータをオーディオデータ、ビデオデータまたはスーパーインポーズデータに分離し、それぞれ復号器５乃至７に供給する。
【００１４】復号器５は入力されたオーディオデータからオーディオヘッダ部（多重化ヘッダ部）に記録されているデータを読み取りコントローラ１３に供給するとともに、それに続く各パケットのデータをチャンネル毎に分離しオーディオデコーダ８ａ乃至８ｃに供給する。
【００１５】同様に復号器６は入力されたビデオデータからビデオヘッダ部（多重化ヘッダ部）に記録されている情報を読み取り、コントローラ１３に供給するとともに、それに続くパケットのデータをチャンネル毎に分離し、ビデオデーコーダ９ａ乃至９ｃに供給する。また、復号器７は入力されるスーパーインポーズデータのスーパーインポーズヘッダ部（多重化ヘッダ部）の情報を読み取ってコントローラ１３に供給するとともに、それに続くパケットのデータをチャンネル毎に分離し、データデコーダ１０ａ乃至１０ｃに供給する。
【００１６】オーディオデコーダ８ａ乃至８ｃは入力されたオーディオパケットのデータからパケットヘッダ部のデータを読み取りコントローラ１３に出力するとともに、それに続くオーディオデータ部のデータをデコードし、合成器１１に出力する。ビデオデコーダ９ａ乃至９ｃは入力されたビデオパケットの先頭に配置されているパケットヘッダ部のデータを読み取り、コントローラ１３に出力するとともにそれに続くビデオデータをデコードし、合成器１２に出力する。データデコーダ１０ａ乃至１０ｃは入力されたスーパーインポーズデータパケットのパケットヘッダ部のデータを読み取り、コントローラ１３に出力するとともにそれに続くスーパーインポーズデータをデコードして合成器１２に出力する。
【００１７】合成器１１はコントローラ１３により制御され、オーディオデコーダ８ａ乃至８ｃの出力を合成し、図示せぬスピーカ等へ出力する。また、合成器１２はコントローラ１３より供給される制御信号に対応して、ビデオデコーダ９ａ乃至９ｃより供給されるビデオデータと、データデコーダ１０ａ乃至１０ｃより供給されるスーパーインポーズデータとを合成し、図示せぬＣＲＴ等に出力する。合成器１１，１２は複数の入力のうちから１つの入力を選択して出力したり、所定の入力と他の入力とを合成したりして出力する。
【００１８】ディスプレイ１５とデジタイザ１４は一体とされ、タッチパネルを構成している。即ち、ディスプレイ１５により例えば所定のスイッチボタン等が表示されると、その表示されたボタンを指等で触ると、その触った座標位置がデジタイザ１４により検出され、その検出信号がコントローラ１３に出力されるようになされている。従って使用者はデジタイザ１４の所定の位置をタッチすることによりコントローラ１３に対して所定の指令を入力することが出来るようになっている。また、不揮発性メモリ１６は所定のデフォルト値を記憶するようになされている。
【００１９】図２はディスク１のフォーマットを模式的に表わしている。ディスク１の始点（最内周トラック）にはＴＯＣ情報が記録されており、それに続くトラックに所定の情報が記録されている。この実施例においては、４つの情報（トラック１乃至トラック４）が記録されている。各トラックはトラックヘッダ部とそれに続くデータ部とより構成され、データ部にはビデオデータ（Ｖ）、オーディオデータ（Ａ）及びスーパーインポーズデータ（Ｓ）がそれぞれ時分割多重されている。そのうち、オーディオデータはその先頭にオーディオヘッダ部が設けられ、それに続いて複数チャンネル（この実施例の場合７チャンネル）のオーディオデータが時分割多重されている。各チャンネルはパケット単位で構成されており、各パケットはパケットヘッダ部とオーディオデータ部とにより構成されている。
【００２０】ビデオデータ及びスーパーインポーズデータについても同様に、ビデオヘッダ部あるいはスーパーインポーズヘッダ部に続いて複数チャンネル（パケット）のデータが時分割多重されて記録されており、各パケットはパケットヘッダ部とビデオデータ部あるいはスーパーインポーズデータ部とにより構成されている。
【００２１】上記したＴＯＣ情報記録部、トラックヘッダ部、多重化ヘッダ部またはパケットヘッダ部には、例えば図３乃至図５に示す符号が記録されている。即ち記録されている情報が映画、カラオケまたは音楽である場合、図３に示すように、それぞれに対応してカテゴリ番号０，１または２等が記録されている。
【００２２】さらに、ソフトカテゴリ番号の下位に識別子が設けられている。例えば、ソフトカテゴリがカラオケである場合、そのオーディオデータに対しては図４に示すような識別子が定められている。この実施例においては、記録されているのがステレオ伴奏である場合、その識別子は０または１とされ、ガイドである場合２とされ、模範例である場合３とされ、解説である場合４とされる。
【００２３】また、ソフトカテゴリが映画である場合におけるオーディオデータに対しては、例えば図５に示すように識別子が割当られる。この実施例においては、記録されているオーディオデータが背景音である場合識別子は０または１とされ、中央音である場合２とされ、背後音である場合３とされ、セリフである場合４とされ、解説である場合５とされている。勿論これらの番号あるいは識別子と対応する内容は、任意に設定することが可能である。
【００２４】次に図６および図７のフローチャートを参照して図１の実施例の動作を説明する。最初にステップＳ１において、各部の初期化動作が行なわれ、次にステップＳ２において、ドライブ２に対してディスク１が装着されたか否か判定される。ドライブ２にディスク１が装着された場合、コントローラ１３はドライブ２にディスク１のＴＯＣ情報を読み取らせる。デコーダ３はこのときドライブ２が出力するＴＯＣをデコードし、それを読み取ってコントローラ１３に出力する（ステップＳ３）。そして、デジタイザ１４を介して再生が指令されたトラック（情報）のソフトカテゴリ番号をＴＯＣ情報から読み取る（ステップＳ４）。そしてステップＳ５、Ｓ６等において、読み取ったソフトカテゴリ番号がカラオケを意味するのか、映画を意味するのか等を判定する。
【００２５】例えばソフトカテゴリ番号がカラオケを表わすものであるとするとき、ステップＳ１１以降の処理が実行される。即ち、コントローラ１３はディスプレイ１５に対するソフトスイッチの表示をカラオケ用に設定させる（ステップＳ１１）。次に多重化されている音声データの識別子を読み取り、その読み取り結果に対応する操作モードを設定する（ステップＳ１３乃至Ｓ１８）。即ち、識別子番号が２である場合ガイドオン、オフスイッチをディスプレイ１５に表示させ（ステップＳ１３，１４）、識別子番号が３であるとき模範例オン、オフスイッチをディスプレイ１５に表示させ（ステップＳ１５，Ｓ１６）、さらに識別子番号が４であるとき解説オン、オフスイッチをディスプレイ１５に表示させる（ステップＳ１７，Ｓ１８）。このようにして例えば図８に示すような表示がディスプレイ１５において行なわれることになる。
【００２６】尚、ステップＳ１３乃至Ｓ１８までの処理におけるこれらのスイッチの設定は、前回設定された状態が不揮発性メモリ１６に記憶されており、その記憶値に対
応する状態とされている。
【００２７】次に図８に示すように表示されたガイドオン、オフスイッチ、模範例オン、オフスイッチ、解説オン、オフスイッチの操作が判定され（ステップＳ１９，２１，２３）、その操作に対応するデータが選択されるように合成器１１が制御される（ステップＳ２０，Ｓ２２，Ｓ２４）。即ち、ガイドオン、オフスイッチがオンされておればガイド音が選択出力され、模範例オン、オフスイッチがオンされていれば、模範例が選択出力され、解説オン、オフスイッチがオンされていれば解説が選択出力されることになる。
【００２８】ガイドオン、オフスイッチ、模範例オン、オフスイッチ、解説オン、オフスイッチのいずれもオフされている場合においては、ステレオ伴奏が選択されることになる。そして、この再生状態がトラック再生の終了が指令されるまで繰り返されることになる（ステップＳ２５）。
【００２９】例えば、トラック３の再生がデジタイザ１４を介してコントローラ１３に指令されたとすると、コントローラ１３はドライブ２を制御し、トラック３のデータを再生させる。この再生データはデコーダ３を介して複合器４さらに複合器５乃至７に供給される。そして、複合器５乃至７に対応する各デコーダ８乃至１０は対応するチャンネルのオーディオデータ、ビデオデータあるいはスーパーインポーズデータをそれぞれデコードする。尚、図１には３チャンネル分のデコーダのみしか示されていないが、このチャンネル数はディスク１に記録されているチャンネル数に対応して設けることができる。
【００３０】このようにして合成器１１にはトラック３のオーディオデータが入力され、合成器１２にはトラック３のビデオデータとスーパーインポーズデータが入力されていることになる。そして、使用者が例えばガイドオン、オフスイッチをオンしたとき合成器１１は入力されるオーディオデータのうち、ガイドオーディオデータを選択し出力することになる。」
　
　以上の記載から、刊行物１には以下の発明（以下、「刊行物１発明」という）が記載されている。
　
　コンパクトディスク、ビデオディスクに記録された情報を再生する再生装置であって、
　前記記録された情報は、
　ビデオデータと、
　左右のステレオ伴奏音、ガイド、模範のボーカル音、解説を含むオーディオデータと、
　前記オーディオデータの内容を識別する識別子と、
　を含み、
　当該装置は、
　前記記録された情報をデコードして再生する再生手段と、
　前記オーディオデータの中から、指定した識別子に対応するオーディオデータを再生するように前記再生手段を制御するコントローラと、
　を備える情報再生装置。
　
　また、原査定の拒絶の理由で引用された本願の優先権主張の日前に頒布された刊行物である「菅原  隆幸  Takayuki  SUGAHARA，ＭＰＥＧ１符号化技術のＣＤ動画カラオケへの応用  An application of MPEG1 coding technology for KARAOKE-CD moving picture，テレビジョン学会技術報告  Ｖｏｌ．１７  Ｎｏ．２０  ITEJ Technical Report，日本，社団法人テレビジョン学会  The Institute of Television Engineers of Japan，１９９３年　３月１８日，第17巻」（以下、「刊行物２」という）の図面Fig.6には、ＭＰＥＧ１デコーダの例として、次の事項が記載されている。
　
エ．「システムタイムクロックと、前記デジタルビデオデータを記憶する第１メモリと、前記デジタルオーディオデータを記憶する第２メモリと、前記システムタイムクロックに基づき前記デジタルオーディオデータの出力タイミングを調節するオーディオ出力部と、を含むＡＶデコーダの例」
　
（３）刊行物１との対比・判断
　本願補正発明と刊行物１発明とを対比する。
　
　刊行物１発明の「コンパクトディスク、ビデオディスク」、および、それに「記録された情報」は、それぞれ、本願補正発明の「記録媒体」、「デジタルデータ」に相当するから、刊行物１発明の「コンパクトディスク、ビデオディスクに記録された情報を再生する再生装置」は、「記録媒体より再生されるデジタルデータを処理するための装置」といえるものである。
　
　刊行物１発明の「ビデオデータ」は、本願補正発明の「デジタルビデオデータ」に相当する。
　
　刊行物１発明の「左右のステレオ伴奏音、ガイド、模範のボーカル音、解説を含むオーディオデータ」のうちいずれか２つの音は、「互いに異なる内容の、第１タイプおよび第２タイプのデジタルオーディオデータ」といえるものである。
　これらのオーディオデータは、デコードして再生するものであるから、デコードに必要なコーディングモードを示す情報が、コンパクトディスク、ビデオディスクに記録された情報に含まれていることは明らかである。この「デコードに必要なコーディングモードを示す情報」と「オーディオデータの内容を識別する識別子」は、本願補正発明の「前記記録媒体における前記デジタルオーディオデータのコーディングモードを示す第１情報と、前記第１タイプのデジタルオーディオデータと前記第２タイプのデジタルオーディオデータとを区別する第２情報と、を含むコーディング情報」に相当するものである。
　
　刊行物１発明の「前記記録された情報をデコードして再生する再生手段」は、本願補正発明の「前記記録媒体より読み取られるデジタルデータを処理するデータ処理部」に相当する。
　
　刊行物１発明の「前記オーディオデータの中から、指定した識別子に対応するオーディオデータを再生するように前記再生手段を制御するコントローラ」について、識別子を指定することは、本願補正発明の「第２情報を入力」することに相当し、その指定した識別子に対応するオーディオデータを再生することは、すなわち、複数のオーディオデータのうち、識別子に対応するデータを選択的に出力することができることであるといえる。
　したがって、刊行物１発明の「前記オーディオデータの中から、指定した識別子に対応するオーディオデータを再生するように前記再生手段を制御するコントローラ」は、本願補正発明の「当該処理されたデジタルデータから前記第２情報を入力し、当該入力した第２情報に基づき前記第１タイプ及び前記第２タイプのデジタルオーディオデータのうち何れかを選択的に出力するよう、前記データ処理部を制御する制御部」に相当するものである。
　
　以上をまとめると、本願補正発明と刊行物１発明の一致点及び相違点は次のとおりである。
　
［一致点］
　記録媒体より再生されるデジタルデータを処理するための装置であって、
　前記デジタルデータは、
　デジタルビデオデータと、
　互いに異なる内容の、第１タイプおよび第２タイプのデジタルオーディオデータと、
　前記記録媒体における前記デジタルオーディオデータのコーディングモードを示す第１情報と、前記第１タイプのデジタルオーディオデータと前記第２タイプのデジタルオーディオデータとを区別する第２情報と、を含むコーディング情報と、
　を含み、
　　当該装置は、
　前記記録媒体より読み取られるデジタルデータを処理するデータ処理部と、
　当該処理されたデジタルデータから前記第２情報を入力し、当該入力した第２情報に基づき前記第１タイプ及び前記第２タイプのデジタルオーディオデータのうち何れかを選択的に出力するよう、前記データ処理部を制御する制御部と、
　を備えることを特徴とする装置。
　
［相違点１］
　第１タイプおよび第２タイプのデジタルオーディオデータが、本願補正発明においては、「それぞれ複数のチャンネルを有する」ものであるのに対し、刊行物１発明では、そうではない点。
　
［相違点２］
　本願補正発明においては、第１タイプのデジタルオーディオデータのコーディングモードは、前記第２タイプのデジタルオーディオデータのコーディングモードと等しいものであるのに対し、刊行物１発明では、等しいか否かは明確ではない点。
　
［相違点３］
　記録媒体より読み取られるデジタルデータを処理するデータ処理部が、本願補正発明では、「システムタイムクロックと、前記デジタルビデオデータを記憶する第１メモリと、前記デジタルオーディオデータを記憶する第２メモリと、前記システムタイムクロックに基づき前記デジタルオーディオデータの出力タイミングを調節するオーディオ出力部と、を含」むものであるのに対し、刊行物１発明では、それは明らかではない点。
　
　これらの相違点について検討する。
　
［相違点１］について
　複数のチャンネルを有するデジタルオーディオデータを記録媒体に記録することは、例を挙げるまでもなく通常普通に行われていることであるから、刊行物１発明における異なる内容のオーディオデータそれぞれを、単に、複数のチャンネルを有するデータとすることは当業者が必要に応じて適宜なし得た事項にすぎない。
　
［相違点２］について
　刊行物１には、複数の内容（複数種類）のオーディオデータそれぞれのコーディングモードについては明確には記載されていないが、複数種類のオーディオデータを１つの記録媒体に記録する場合に、それぞれのコーディングモードを異ならせる格別の理由がない限り、同じコーディングモードを用いるのが自然であると考えられる。刊行物１には、コーディングモードを異ならせることを示唆する記載は全くなく、実質的には、複数のデジタルオーディオデータのコーディングモードを等しいものとすることは刊行物１に記載されているといえる。
　なお、刊行物１には、複数チャンネル分のデコーダが示されているが、これらのコーディングモードがそれぞれ異なる旨が明示されているわけではなく、その根拠とはならないものである。また、請求人は、本願補正発明について、「複数のチャンネルを有するデジタルオーディオデータをデコーディングする場合であっても、コーディングモードが等しいことから、一つのデコーダを備えるだけで済み、その結果、装置全体の構成が簡潔になるとともに、データの処理効率が向上する」ものである旨を主張しているが、デコーダが一つであることは請求項１には記載されていないし、仮に、本願補正発明のデコーダが一つであると仮定したとしても、一つのデコーダを使用して複数のチャンネルの信号を時分割でデコードすることは周知技術であるから、それが本願補正発明の進歩性を肯定する理由とはならない。
　
［相違点３］について
　ビデオ情報とオーディオ情報が関連しているデータを再生する際に同期させること当然のことであり、そのための構成として、記録媒体よりデジタルビデオデータ、及び、デジタルオーディオデータを読み取って処理する処理部を、「システムタイムクロックと、前記デジタルビデオデータを記憶する第１メモリと、前記デジタルオーディオデータを記憶する第２メモリと、前記システムタイムクロックに基づき前記デジタルオーディオデータの出力タイミングを調節するオーディオ出力部と、を含」むものとすることは、例えば、上記刊行物２に記載されているように周知の技術事項である。したがって、刊行物１発明における記録された情報をデコードして再生する再生手段において、当業者がこのように処理部を構成することに格別の困難があるとはいえない。
　
　以上のとおり、本願補正発明は、刊行物１発明に基づいて、当業者が容易に発明をすることができたものであり、特許法第２９条第２項の規定により特許出願の際独立して特許を受けることができないものである。
　
　よって、本件補正は、平成１８年改正前特許法第１７条の２第５項において準用する同法第１２６条第５項の規定に違反してなされたものであるから、同法第１５９条第１項において読み替えて準用する同法第５３条第１項の規定により却下すべきものである。
　
第３．本願発明について
１．本願発明
　平成２２年３月３日付けの手続補正は上記のとおり却下されたので、本願の請求項に係る発明は、平成２１年１０月７日付け手続補正書の特許請求の範囲の請求項１ないし１４に記載された事項により特定されるものであるところ、その請求項１に係る発明（以下、「本願発明」という）は、次のとおりのものである。
　
「記録媒体より再生されるデジタルデータを処理するための装置であって、
　前記デジタルデータは、
　デジタルビデオデータと、
　互いに異なる内容の、それぞれ複数のチャンネルを有する第１タイプおよび第２タイプのデジタルオーディオデータと、
　前記記録媒体における前記デジタルオーディオデータのコーディングモードを示す第１情報と、前記第１タイプのデジタルオーディオデータと前記第２タイプのデジタルオーディオデータとを区別する第２情報と、を含むコーディング情報と、
　を含み、
　当該装置は、
　システムタイムクロックと、前記デジタルビデオデータを記憶する第１メモリと、前記デジタルオーディオデータを記憶する第２メモリと、前記システムタイムクロックに基づき前記デジタルオーディオデータの出力タイミングを調節するオーディオ出力部と、を含み、前記記録媒体より読み取られるデジタルデータを処理するデータ処理部と、
　当該処理されたデジタルデータから前記第２情報を入力し、当該入力した第２情報に基づき前記第１タイプ及び前記第２タイプのデジタルオーディオデータのうち何れかを選択的に出力するよう、前記データ処理部を制御する制御部と、
　を備えることを特徴とする装置。」
  
２．刊行物
　原査定の拒絶の理由で引用された刊行物、及び、その記載事項は、前記第２．２．（２）に記載したとおりである。
　
３．対比・判断
　本願発明は、前記第２．２．で検討した本願補正発明の限定事項である「前記第１タイプのデジタルオーディオデータのコーディングモードは、前記第２タイプのデジタルオーディオデータのコーディングモードと等しく、」を省いたものである。
　そうすると、本願発明の特定事項を全て含み、さらに他の特定事項を付加したものに相当する本願補正発明が前記第２．２．に記載したとおり、刊行物１に記載された発明に基づいて、当業者が容易に発明をすることができたものであるから、本願発明も、同様の理由により、刊行物１に記載された発明に基づいて当業者が容易に発明をすることができたものである。
　
第４．まとめ
　以上のとおり、本願の請求項１に係る発明は、刊行物１に記載された発明に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。